(57)【要約】【課題】マイクロホンの角度（向き）を変えるのに、騒音発生の少ないマイクロホンホルダーを提供する。【解決手段】湾曲アーム状の先端部を押し開きつつホルダーベース７の狭持部７１に嵌め込み可能な回転軸８１を有している。マイクホルダ８の回転軸８１には、その外周面の異なる角度位置に、滑らかな複数の凹部８１ａ（凹凸）が形成されている。回転軸８１の狭持部７１への嵌め込みにより、狭持部７１の突起７１ａが回転軸８１の凹部８１ａに嵌まり込み安定する。マイクホルダ８の回転操作による角度変更は、狭持部７１の突起７１ａと回転軸８１の凹部８１ａとの間の摺動により、滑らかに行われるので、騒音発生を大幅に軽減できる。使用者は、マイクホルダ８の回転操作のみで、マイクロホンの集音方向（角度）を容易に変えることができる。【選択図】図３
2010093559.tif 000002
【特許請求の範囲】
【請求項１】
板状のホルダーベースが固定されたクリップと、前記ホルダーベースに連結されマイクロホンを装着可能なマイク保持部とを具備するマイクロホンホルダーにおいて、
上記ホルダーベースは、先端部の各対向面にそれぞれ突起を設けた湾曲アーム状の狭持部を有し、
上記マイク保持部は、上記湾曲アーム状の先端部を押し開きつつ上記ホルダーベースの狭持部に嵌め込み可能な回転軸を備え、
上記回転軸は、異なる回転角度位置で、上記狭持部の突起に嵌まり込ことができる複数の凹部を外周面に有することを特徴とするマイクロホンホルダー。
【請求項２】
上記ホルダーベースの狭持部は、３点で上記マイク保持部の回転軸を保持することを特徴とする請求項１に記載のマイクロホンホルダー。
【請求項３】
上記ホルダーベースの狭持部は、湾曲底部に上記マイク保持部の回転軸周面の一部を受け入れる凹部を有することを特徴とする請求項１または請求項２に記載のマイクロホンホルダー。
【請求項４】
上記ホルダーベースの狭持部の材質と、上記マイク保持部の回転軸の材質とは互いに異なることを特徴とする請求項１ないし請求項３のうちのいずれか１項に記載のマイクロホンホルダー。
【請求項５】
板状のホルダーベースが固定されたクリップと、前記ホルダーベースに連結され、マイクロホンを装着可能なマイク保持部とを具備するマイクロホンホルダーにおいて、
上記ホルダーベースは、長手方向の端部で開口しつつ背面に突起を設けたＵ字状狭持部を有し、
上記マイク保持部は、上記ホルダーベースのＵ字状狭持部に嵌り込み可能な回転軸と、この回転軸の異なる回転角度位置で、前記Ｕ字状狭持部の突起に嵌り込み可能な複数の凹部を円周方向に配列形成した鍔部とを有することを特徴とするマイクロホンホルダー。
【請求項６】
上記ホルダーベースのＵ字状狭持部の材質と、上記マイク保持部の回転軸の材質とは互いに異なることを特徴とする請求項５に記載のマイクロホンホルダー。
【発明の詳細な説明】
【技術分野】
【０００１】
本発明は、円筒型コンデンサーマイクロホンなどの小型マイクを、着用した衣服の胸元やネクタイなどに取り付けて使用するのに好適なマイクロホンホルダーの改良に関する。
【背景技術】
【０００２】
講演や会議などの場においては、しばしば小型マイク（マイクロホン）を組み入れたマイクロホンホルダーが、出演者の衣服やネクタイなど、胸元にクリップ（ｃｌｉｐ）止めして使用される。
クリップ止め可能なマイクロホンは、ピンマイクロホンとも称され、これを装着した出演者などは、コードレスで送話できる。（例えば、特許文献１参照）。
【０００３】
マイクロホンを取り付けたマイクロホンホルダーは、使用者（出演者）がコードレスで送話できるので大変便利ではあるが、クリップ止めしたとき、マイクロホンの集音方向が使用者の口元に向いていないと良好に送話されないことになる。この不具合は、指向性マイクロホンの場合はもとより、無指向性マイクロホンの場合であっても高音域についていえることである。
使用者が、マイクロホンホルダーを衣服の胸元などに取り付けるとき、多くの場合、使用者が着用する服装などは、その時々によってまた使用者の好みによって個々に異なるものであるから、マイクロホンホルダーの衣服などへの装着場所ないしは装着位置を特定することは困難である。
【０００４】
また、使用者が、マイクロホンの向き（集音方向）を定め、位置決めを行って、マイクロホンホルダーを一旦は衣服の胸元などにクリップ止めしたとしても、実際に使用を始めるときには、必ずしも使用者の口元に集音方向が向いていないということもある。
また、クリップ止めの対象となる衣服などの縁の形状も種々雑多であるから、マイクロホンホルダーの向きとそれに取り付けられたマイクロホンの向きとが固定された状態では、クリップの位置決めは簡単ではない。また、使用している間に、クリップ止めが位置ずれしたり外れたりすることもある。
【０００５】
そこで、マイクロホンとクリップとの間の角度位置関係を適宜変更できるように、マイクロホンを取り付けるマイク保持部とクリップとの間にホルダーベースを設け、ホルダーベースとマイク保持部との間の角度位置関係を変えることができるようにしたマイクロホンホルダーがある。
【０００６】
図１２、図１３は、上記マイクロホンホルダーの従来例を示す。図１２、図１３に示すように、小型のマイクロホン１は、Ｕ字状で弾性を有してマイクロホン１を捕捉するマイク保持部２に装着され、そのマイク保持部２は、板状のホルダーベース３に連結されている。ホルダーベース３は小さなボルト４ａによりクリップ４にねじ止め固定されている。
クリップ４は、タイピン型をなしていて、ばね４ｂのばね圧を利用することにより、使用者は着用した衣服などの縁に着脱することができる。
【０００７】
マイク保持部２とホルダーベース３との組み合わせ構造を、図１２のＡ−Ａ矢視断面図である図１４を参照して説明する。
図１４に示したように、マイク保持部２とホルダーベース３とは、マイク保持部２の回転中心軸（Ｚ）方向に、シャフト（回転軸）５ａを貫通させたボルト状の遊挿連結金具５を介して連結されている。シャフト５ａのマイク保持部２側には、マイク保持部２との間にスプリング６が嵌め込まれている。スプリング６は、圧縮されることにより、マイク保持部２をホルダーベース３に押し込む方向に常時付勢している。
従って、スプリング６に抗して、マイク保持部２を矢印Ｙ１方向に引き出すことにより、マイク保持部２をホルダーベース３から引き離すことができる。なお、マイク保持部２は弾性を有してＵ字状に形成されているので、マイクロホン１は、矢印Ｙ２方向への押し込み操作によりマイク保持部２に装着される。
【０００８】
図１４のＢ−Ｂ矢視断面図である図１５に示すように、ホルダーベース３の正面側には、挿入されたシャフト５ａの外側方向に向けて、放射状に４５度間隔で８個の凹部３ａが形成されている。
また図１４のＣ−Ｃ矢視断面図である図１６に示すように、マイク保持部２の背面側には、ホルダーベース３の凹部３ａに対応するように、回転中心軸Ｚの周囲に放射状に、９０度間隔で４個の凸部２ａが形成されている。
従って、スプリング６により、マイク保持部２とホルダーベース３とは、マイク保持部２の凸部２ａがホルダーベース３の凹部３ａに嵌り込んだ状態で連結される。なお、図１４において、符号ｄはマイク保持部２の凸部２ａの高さを示している。
【０００９】
使用者が、マイク保持部２にマイクロホン１を装着した状態又は取り外した状態で、マイク保持部２のホルダーベース３（ないしはクリップ４）に対する相対角度（向き）を変えようとするときは、スプリング６は圧縮方向に付勢されているから、図１７に示したように、スプリング６に抗して、マイク保持部２を凸部２ａの高さｄを超えて、矢印Ｙ１方向引き出し、マイク保持部２の凸部２のホルダーベース３の凹部３ａへの嵌め込みを解除する。
次に、使用者は、ホルダ２の凸部２のホルダーベース３の凹部３ａに対する嵌め込みが解除された状態で、マイク保持部２を回転中心軸（Ｚ）の廻りに（図１７の矢印Ｒ方向に）回転させ、新たな角度位置で、マイク保持部２の凸部２ａをホルダーベース３の凹部３ａに合わせ、スプリング６の弾力により嵌めこみ連結する。
【００１０】
図１８は、図１２に示したマイク保持部２の角度位置から、図において左方向（反時計方向）に４５度回転させて連結させた状態を示す。このときのマイク保持部２とホルダーベース３との連結状態の断面図を図１９、図２０にそれぞれ示している。なお図１９及び図２０は、図１５及び図１６にそれぞれ対応したものである。
【００１１】
【特許文献１】特開２００３−１９９１８２号公報
【発明の開示】
【発明が解決しようとする課題】
【００１２】
上記のように、従来のマイクロホンホルダーは、マイクロホン１あるいはマイクロホン１を取着したマイク保持部２と、マイク保持部２に連結されたホルダーベース３（あるいはクリップ４）との間の相対的な角度位置関係を変えるには、スプリング６に抗してマイク保持部２をホルダーベース３から引き離し、マイク保持部２を回転軸廻りに回転させて、新たにマイク保持部２の凸部２ａをホルダーベース３の凹部３ａに嵌め込ませるものであった。
従って、上記従来のマイクロホンホルダーは、マイク保持部２とホルダーベース３との連結に、スプリング６を嵌め込んだ遊挿連結金具５を有していて構造が複雑な上、使用者は、スプリング６に抗してマイク保持部２をホルダーベース３からの引き離し操作と、マイク保持部２の回転操作とを必要とした。
また、スプリング６の弾性力を利用して，マイク保持部２の凸部２ａをホルダーベース３の凹部３ａに落とし込み、嵌め込み連結させる構成であったので、マイク保持部２とホルダーベース３との間で大きな衝突音ないしは突部２ａと凹部３ａとの嵌まり合いによるクリック音が発生し、これらの音をマイクロホン１が拾って大きな騒音となるので改善が要望されている。
【００１３】
そこで本発明は、簡単な構成により、マイク保持部（マイクロホン）とホルダーベース（クリップ）との間の相対的な角度位置関係を容易に変えることができ、かつ騒音発生の少ないマイクロホンホルダーを提供することを目的とする。
【課題を解決するための手段】
【００１４】
第１の本発明は、板状のホルダーベースが固定されたクリップと、前記ホルダーベースに連結されマイクロホンを装着可能なマイク保持部とを具備するマイクロホンホルダーにおいて、上記ホルダーベースは、先端部の各対向面にそれぞれ突起を設けた湾曲アーム状の狭持部を有し、上記マイク保持部は、上記湾曲アーム状の先端部を押し開きつつ上記ホルダーベースの狭持部に嵌め込み可能な回転軸を備え、上記回転軸は、異なる回転角度位置で、上記狭持部の突起に嵌まり込ことができる複数の凹部を外周面に有することを特徴とする。
【００１５】
第２の本発明は、板状のホルダーベースが固定されたクリップと、前記ホルダーベースに連結され、マイクロホンを装着可能なマイク保持部とを具備するマイクロホンホルダーにおいて、上記ホルダーベースは、長手方向の端部で開口しつつ背面に突起を設けたＵ字状狭持部を有し、上記マイク保持部は、上記ホルダーベースのＵ字状狭持部に嵌り込み可能な回転軸と、この回転軸の異なる回転角度位置で、前記Ｕ字状狭持部の突起に嵌り込み可能な複数の凹部を円周方向に配列形成した鍔部とを有することを特徴とする。
【発明の効果】
【００１６】
上記のように、第１の本発明に係るマイクロホンホルダーは、ホルダーベースが、突起を設けた湾曲アーム状の保持部を有し、マイク保持部の回転軸は、異なる回転角度位置で上記保持部の突起に嵌まり込み可能な複数の凹部を外周面に有するので、マイク保持部とホルダーベースとの間の相対角度位置を、単なる滑らかな摺動（スライド）動作により容易に変えることができ、簡単な構成で、騒音発生を大幅に軽減できる。
【００１７】
また、第２の本発明に係るマイクロホンホルダーは、ホルダーベースが、突起を設けたＵ字状保持部を有し、マイク保持部には、異なる回転角度位置で前記Ｕ字状保持部の突起に嵌り込み可能な複数の凹部を円周方向に配列形成した鍔部を有するので、上記第１の本発明と同様に、マイク保持部とホルダーベースとの間の相対角度位置を、単なる滑らかな摺動動作により容易に変えることができ、簡単な構成で、騒音発生を大幅に軽減できる。
【発明を実施するための最良の形態】
【００１８】
以下、本発明に係るマイクロホンホルダーの一実施例を図１ないし図１１を参照して詳細に説明する。なお、図１２ないし図２０に示した従来のマイクロホンホルダーと同一構成は同一符号を付して詳細な説明は省略する。
図１は本発明に係るマイクロホンホルダーの第１の実施例を示した平面図、図２は図１のＤ−Ｄ矢視断面図、図３は図２の要部拡大図である。
【００１９】
図１ないし図３に示した第１の実施例に係るマイクロホンホルダーは、ボルト４ａにより板状のホルダーベース７を固定したクリップ４と、ホルダーベース７に連結され、マイクロホン１を装着したマイク保持部８とを備えている。
ホルダーベース７は、潤滑性に優れたポリアセタール（ｐｏｌｙａｃｅｔａｌ）樹脂製からなる。図２および図３に示したように、ホルダーベース７の長手方向の端部に、一対の湾曲アーム状の狭持部７１を有し、その先端部の各対向面には、それぞれ突起７１ａ，７１ａが内側に対向して設けられている。
【００２０】
マイク保持部８は、図１に示すようにフォーク状に形成され、このフォーク状のマイク保持部８を押し開きながらマイクロホン１を装着し、マイク保持部８の弾性力によってマイクロホン１を保持することができるようになっている。
マイク保持部８はまた、図１ないし図３に示すように、ホルダーベース７の狭持部７１の先端部を押し開きつつ、上記狭持部７１に嵌め込み可能な回転軸８１を備えている。この回転軸８１の外周面は、回転中心軸Ｚを中心とした回転角方向に凹部８１ａ及び凸部８１ｂがそれぞれ４５度間隔のピッチで交互に繰り返して形成されている。上記凹部８１ａ及び凸部８１ｂは円滑な円弧を描いて連続的に形成され、上記回転軸８１の異なる回転角度位置で、凹部８１ａに上記狭持部７１の突起７１ａ，７１ａが滑らかに嵌まり込み可能に構成されている。
すなわち、図３に示したように、マイク保持部８の回転軸８１の外周面は、それぞれ８個の凹凸が順次均等に配列形成されているので、ホルダーベース７の狭持部７１の突起７１ａ，７１ａはそれぞれ、回転軸８１の上下方向から角度φ（２２．５度）変位して位置したマイク保持部８の凹部８１ａ，８１ａに合致して嵌り込み、マイク保持部８を安定に保持することができる。
【００２１】
ホルダーベース７の狭持部７１の突起７１ａ，７１ａは、狭持部７１の有する弾性力により、回転軸８１の回転に対応して、その回転軸８１の凸部８１ｂと凹部８１ａ（すなわち、山と谷）に滑らかに追従するように作用する。とりわけ、この実施例におけるマイク保持部８の回転軸８１は、ポリカーボネート樹脂製とし、潤滑性に優れたホルダーベース７とは異なる材質を採用したことにより、また、凸部８１ｂと凹部８１ａを円滑な円弧で連続させたことにより、両者間に良好な摩耗性および摺動性を得ることができる。
【００２２】
また、図３に示したように、ホルダーベース７の狭持部７１に嵌め込まれたマイク保持部８の回転軸８１は、狭持部７１の有する弾性力により、各突起７１ａ，７１ａが（図示上下方向から１個開口側に変移した）回転軸８１の凹部８１ａに嵌り込んで押し込むことになり、その結果、回転軸８１の（図視左方）先端部は狭持部７１の開口底部Ｑに当接する。このように、回転軸８１は、ホルダーベース７の狭持部７１により、一定圧力のもと、３点（３か所）での保持（ホールド）を受けるのでバランス良く安定する。なお、図面上では明確に表されていないが、回転軸８１と狭持部７１は上記３点で当接し、回転軸８１の他の突起８１ｂと挟持部７１の内周面との間には隙間が生じている。
【００２３】
さらにまた、ホルダーベース７の狭持部７１の開口底部Ｑは滑らかな弧を描き、回転軸８１の凸部８１ｂとは線接触して安定するように形成されているが、この開口底部Ｑ位置に凹部を形成し、その凹部に回転軸８１の凸部８１ｂが嵌まり込むように構成して、マイク保持部８の安定度がより高まるようにしても良い。
【００２４】
なお、マイク保持部８の回転軸８１の外周面に形成される凹凸の数（すなわち角度ピッチ）を変えたときは、それに対応して、狭持部７１の突起７１ａ，７１ａ位置も変えて設ければ良い。
図１において、符号Ｈは、クリップ４からマイクロホン１までの高さを示したものであり、図３において、符号ａは凹部８１ａを形成した回転軸８１の径の長さを示している。
【００２５】
図４は、ホルダーベース７の狭持部７１がマイク保持部８を保持していないとき、すなわち、フリーな状態での狭持部７１を示した正面図である。ここで、狭持部７１の突起７１ａ，７１ａ先端面（接線方向）と狭持部７１の開口底部Ｑを通って描く円の径をｂとし、図３に示したように、マイク保持部２の回転軸２１の凹部を通る円の径をａとしたとき、ｂ＜ａとなっている。この条件のもと、ホルダーベース７はマイク保持部８を安定的に捕捉し保持できる。
【００２６】
また、上記説明では、ホルダーベース７をポリアセタール樹脂製、マイク保持部８の回転軸８１をポリカーボネート樹脂製としたが、反対に、ホルダーベース７をポリカーボネート樹脂製、マイク保持部８をポリアセタール樹脂製としても良い。
【００２７】
以上説明したように、この実施例のマイクロホンホルダーによれば、マイク保持部８を、回転軸８１の回転中心軸（Ｚ）廻りにクリック回転させたとき、ホルダーベース７の狭持部７１は、マイク保持部８の回転軸８１の外周面に配列形成された凹部８１ａに順次滑らかに嵌まり込む。
このように、マイク保持部８におけるクリック回転操作では、マイク保持部８の回転軸８１の外周面に形成された凹凸（８１ａ，８１ｂ）とホルダーベース７の狭持部７１の突起７１ａ，７１ａとの間の滑らかな摺動（スライディング）によるので、騒音発生は小さく抑えられる。
【００２８】
さらに、マイクロホンホルダーを装着する使用者は、クリック回転操作のみで、マイクロホン１の集音方向を、たとえば図５の平面図に示した方向に、容易に変更可能である。
また、この実施例によれば、従来のようにマイク保持部８の軸方向に、長さの長いボルト状の遊挿連結金具５などを組み込まないので、図１に示したようにクリップ４からマイクロホン１の先端までの高さＨは小さくて済み、それだけ全体のコンパクト化が可能である。
【００２９】
次に、図６ないし図１１に示す本発明の第２の実施例に係るマイクロホンホルダーについて説明する。図６は、第２の実施例に係るマイクロホンホルダーの正面図、図７はその平面図である。この第２の実施例に係るマイクロホンホルダーの上記第１の実施例との相違点は、ホルダーベース７とマイク保持部８にあるので、その相違点を特に説明する。
【００３０】
この第２の実施例に係るマイクロホンホルダーにおいて、板状のホルダーベース７は、図８の正面図、図９の要部平面図に示したように、一端部において長手方向に開口し、かつ先端部の背面に突起７２ａを設けたＵ字状狭持部７２を有している。Ｕ字状狭持部７２は、前後方向（すなわち、クリップ４に向けて）弾性力を備えている。
一方、マイク保持部８は、図１０の平面図に示したように、回転軸８２とその回転軸８２の先端に固着された円盤状の鍔部８３とを有している。鍔部８３には、図１１に図１０のＥ−Ｅ矢視断面図を示したように、回転軸８２の任意に選択された回転角度位置で、Ｕ字状保持部７２の突起７２ａに嵌合し得るように、円周方向に滑らかな凹部８３ａが複数配列形成されている。
【００３１】
図９に示すように、マイク保持部８は、その回転軸８を、ホルダーベース７で弾性を有するＵ字状狭持部７２にこれを角度θに反らせつつ嵌め込み可能であり、マイク保持部８の回転軸８を上記狭持部７２にはめ込むことにより、鍔部８３の凹部８３ａは、Ｕ字状狭持部７２の突起７２ａに嵌合して安定する。
図１１に示すように、この実施例では鍔部８３の回転軸８３の凹部８３ａが、回転中心軸Ｚから放射状に８個形成されているが、ホルダーベース７におけるＵ字状狭持部７２の突起７２ａ，７２ａの角度位置に対応できるのであれば、適宜の数に設定できる。
【００３２】
この第２の実施例のマイクロホンホルダーにおいても、図７に示したように、ホルダーベース７に捕捉されたマイク保持部８は、回転中心軸Ｚ中心でのクリック回転操作のみで、マイクロホン１の集音方向を容易に変更することができる。
なお、この実施例において、ホルダーベース７はポリアセタール樹脂製とし、マイク保持部８の鍔部８３をポリカーボネート樹脂製としたが、ホルダーベース７をポリカーボネート樹脂製、マイク保持部８の鍔部８３をポリアセタール樹脂製としても良い。
【００３３】
以上説明したように、この第２の実施例のマイクロホンホルダーを衣服などに装着して用いるユーザーは、マイク保持部８のクリック回転操作のみで、マイクロホン１の集音方向の変えることができる。また、マイク保持部８のクリック回転操作では、マイク保持部８における鍔部８３の凹部８３ａが、滑らかに摺動（スライディング）してホルダーベース７の突起４２ａに嵌まり込むので、騒音発生は抑制され、マイクロホン１による雑音の集音は回避される。
【００３４】
なお、上記各実施例において、マイク保持部８の回転軸８１，８２は、棒状であるように示しているが、筒状体であっても良い。
【００３５】
以上要するに、上記各実施例に係るマイクロホンホルダーによれば、簡単かつコンパクトな構成により、マイク保持部とホルダーベースとの間は滑らかな摺動により連結角度の変更が可能となり、騒音発生を大幅に軽減できる。また、使用者はマイク保持部の単なる回転操作という簡単な操作のみで容易に集音方向を変更できるものであり、実用に際して得られる効果大である。
【図面の簡単な説明】
【００３６】
【図１】本発明に係るマイクロホンホルダーの第１の実施例を示した平面図である。
【図２】図１に示したマイクロホンホルダーのＤ−Ｄ矢視断面図である。
【図３】図２に示した断面図の要部拡大図である。
【図４】図３に示したホルダーベースの正面図である。
【図５】図１に示したマイクロホンホルダーで、マイク保持部の角度を変えたときの平面図である。
【図６】本発明に係るマイクロホンホルダーの第２の実施例を示した正面図である。
【図７】図６に示したマイクロホンホルダーの平面図である。
【図８】図６に示したホルダーベースの正面図である。
【図９】図７に示したホルダーベースの動作状態を示した平面図である。
【図１０】図７に示したマイク保持部の平面図である。
【図１１】図１０のＥ−Ｅ矢視断面図である。
【図１２】従来のマイクロホンホルダーを示した正面図である。
【図１３】図１２に示したマイクロホンホルダーの平面図である。
【図１４】図１２に示したマイクロホンホルダーのＡ−Ａ矢視要部断面図である。
【図１５】図１４に示したマイクロホンホルダーのＢ−Ｂ矢視断面図である。
【図１６】図１４に示したマイクロホンホルダーのＣ−Ｃ矢視断面図である。
【図１７】図１４に示したマイクロホンホルダーでマイク保持部を引き出したときの断面図である。
【図１８】図１２に示したマイクロホンホルダーでマイク保持部の角度を変えたときの要部平面図である。
【図１９】図１５において、マイク保持部の角度を変えたときの断面図である。
【図２０】図１６において、マイク保持部の角度を変えたときの断面図である。
【符号の説明】
【００３７】
１    マイクロホン
２    マイク保持部
３    ホルダーベース
４    クリップ
４ａ  ボルト
５    遊挿連結金具
５ａ  シャフト
６    スプリング
７    ホルダーベース
７１  狭持部
７１ａ突起
７２  Ｕ字状狭持部
７２ａ突起
８    マイク保持部
８１  回転軸
８１ａ凹部
８１ｂ凸部
８２  回転軸
８３  鍔部
８３ａ凹部
Ｑ    開口底部
【図１】
2010093559.tif 000003
【図２】
2010093559.tif 000004
【図３】
2010093559.tif 000005
【図４】
2010093559.tif 000006
【図５】
2010093559.tif 000007
【図６】
2010093559.tif 000008
【図７】
2010093559.tif 000009
【図８】
2010093559.tif 000010
【図９】
2010093559.tif 000011
【図１０】
2010093559.tif 000012
【図１１】
2010093559.tif 000013
【図１２】
2010093559.tif 000014
【図１３】
2010093559.tif 000015
【図１４】
2010093559.tif 000016
【図１５】
2010093559.tif 000017
【図１６】
2010093559.tif 000018
【図１７】
2010093559.tif 000019
【図１８】
2010093559.tif 000020
【図１９】
2010093559.tif 000021
【図２０】
2010093559.tif 000022